(57)【要約】【課題】  袋の折返し部を磁石で吸着挟持し、且つ袋掛止部で突っ張り状に掛止することにより、袋が簡単に着脱容易に且つずれ落ちしないように装着でき、また、支柱の傾斜角度および高さを調整自在とすることにより、各袋のもつ最大の開口寸法に開口して最も投入し易い状態で投入でき、また、支柱間で袋の食み出し収納をすることにより、各袋のもつ最大の収納容量まで容易に多量収納ができる収納袋の支持器具を提案する。【解決手段】  基台１と、支柱の傾斜角度および高さを調整自在とした３本以上の支柱２と、該支柱２の上端部に形成された袋掛止部３と、該袋掛止部３の直下の前記支柱２の外側面に固設した磁性体片４と、該磁性体片４と相対する位置に永久磁石５を備え且つその下方の基端部に前記支柱２の外側面と連結する基端部６を備えた係留部材７を設けて、袋掛止部３に被せ掛けた袋の折り返し部８ａを永久磁石５の磁力で吸着挟持する。【選択図】  図１
2007314231.tif 000002
【特許請求の範囲】
【請求項１】
基台（１ａ）の周辺部の少なくとも３箇所に内外方向に復元力を有する支柱（２ｃ）を該基台（１ａ）と一体形成した袋支持体（Ａ）と、
該袋支持体（Ａ）の上端部に被せ掛けた袋（８）の折り返し部（８ａ）を破らない程度に尖らせて形成した袋掛止部（３）と、
該袋掛止部（３）の直下の前記支柱（２ｃ）の上部外側面に固設した磁性体片（４）または永久磁石（５）と、
基端部（６）を前記支柱（２ｃ）の外側面の中間高さ部位に取付けした係留部材（７）の先端部に、前記支柱（２ｃ）に設けた磁性体片（４）または永久磁石（５）に対応して離着可能になるように永久磁石（５）または磁性体片（４）を固設した袋の挟み留め部（Ｂ）と、から成る収納袋支持器具。
【請求項２】
基台（１）の周辺部の少なくとも３箇所に首振り手段を介して支柱（２）を先端部が内外方向擺動可能になるように装着した袋支持体（Ｃ）と、
該袋支持体（Ｃ）の上端部に被せ掛けた袋（８）の折り返し部（８ａ）を破らない程度に尖らせて形成した袋掛止部（３）と、
該袋掛止部（３）の直下の前記支柱（２）の上部外側面に固設した磁性体片（４）または永久磁石（５）と、
基端部（６）を前記支柱（２）の外側面の中間高さ部位に取付けした係留部材（７）の先端部に、前記支柱（２）に設けた磁性体片（４）または永久磁石（５）に対応して離着可能になるように永久磁石（５）または磁性体片（４）を固設した袋の挟み留め部（Ｂ）と、から成る収納袋支持器具。
【請求項３】
請求項２に記載の収納袋支持器具において、
首振り手段が、前記支柱（２）の基端部に塑性変形可能なＬ型金具（９）を設けて該金具（９）で基台（１）に固定して前記支柱（２）の首振りを可能としたことを特徴とする収納袋支持器具。
【請求項４】
請求項２に記載の収納袋支持器具において、
首振り手段が、前記支柱（２）の基端部に枢軸とその軸受部の接触による摩擦抵抗により内外方向の傾斜を可能とする枢支部（１０）を設けて前記支柱（２）の首振りを可能としたことを特徴とする収納袋支持器具。
【請求項５】
請求項２に記載の収納袋支持器具において、
首振り手段が、前記支柱（２）の基端部に該支柱（２）に添ってバネ板（１２）を固定し、該バネ板（１２）の下端部を基台（１）に固定して、バネの弾性によって前記支柱（２）を内外方向に首振りができるようにしたことを特徴とする収納袋支持器具。
【請求項６】
請求項２乃至５に記載の収納袋支持器具において、
前記支柱（２）を二重軸嵌合で上下に伸縮するスライド構造とし、該二重軸嵌合部の側部にボルト孔を設けそのボルト孔に両軸を締め付けて固定する係止ボルト（１１）を螺着し前記支柱（２）の高さを調節できるようにしたことを特徴とする収納袋支持器具。
【請求項７】
請求項１乃至６に記載の収納袋支持器具において、
係留部材（７）が、前記支柱（２）または（２ｃ）との取付け位置から支柱上部に設けた前記磁性体片（４）または永久磁石（５）に至る長さの縦長細幅の薄板の板状材（７）、または、紐状材（７ａ）、または、鎖状材（７ｂ）のいずれか一つである収納袋支持器具。
【請求項８】
請求項２乃至７に記載の収納袋支持器具において、
基台（１）が、端部に首振り手段を装着可能とした少なくとも２本の細長板状材（１ｂ）または棒状材（１ｃ）を重ね合わせて折り畳みできるように中央部に設けた枢支部（１ｄ）で開閉可能に連結して成る収納袋支持器具。
【発明の詳細な説明】
【技術分野】
【０００１】
本発明は、ゴミやその他の廃棄物または物品等を収納する収納袋の支持器具に関する。
【背景技術】
【０００２】
従来、家庭や事業所などで一般的に用いられているゴミ収納容器においては、容器内に溜まったゴミをゴミ袋ごと簡単に取り出して排出できるようにするために、ゴミ袋の上部折り返し部を容器の口から外部に露出したままの状態で装着する方法が行われている。また、自動販売機のそばに設置されている空容器収納箱などの収納容器においても、容器の上部から食み出したゴミ袋の折返し部を外部に露出し、その折り返し部を蓋で押さえて装着する方法が一般的に行われている。
【０００３】
また、この外に、提案されているごみ類の収納容器として、容器内に装着したゴミ袋の上部折返し部をクリップで保持する特許文献１に記載の「ごみ等の収納容器」や、容器内に装着したゴミ袋の上部折返し部をひも状弾性体で保持する特許文献２に記載の「内袋固定具付ごみ箱」や、袋もの支持スタンドのリングに装着したゴミ袋の上部折返し部を留め紐で保持する特許文献３に記載の「袋もの支持スタンド」や、ゴミ袋用のスタンドの枠材に装着したゴミ袋の上部折返し部を口紐で保持する特許文献４に記載の「ゴミ袋用のスタンド、及びゴミ袋付きスタンド」などがある。また、この外に袋支持器具に装着したゴミ袋の上部折返し部をクリップで保持する特許文献５に記載の「袋支持器具」がある。
【特許文献１】実開平６−２７７０２
【特許文献２】特開２００２−３４７９０１
【特許文献３】特開２００３−２６７５０６
【特許文献４】第３０３８２４０号
【特許文献５】特願２００５−０４６４６４
【発明の開示】
【発明が解決しようとする課題】
【０００４】
従来の家庭や事業所や自動販売機の傍らなどで一般的に用いられているごみ類の収納容器においては、図９の（イ）に示されるように、装着する袋のサイズが容器によって限定され、容器よりも小さい口縁寸法の袋は容器に装着できないという欠点があった。
また、容器よりも大きい袋は使用可能ではあるものの、その場合は袋の余分な部分が容器内に畳み込まれてしまうので、容器よりも大きい袋を装着してもその袋のもつ収納容量いっぱいに収納物を多量収納することができないという欠点があった。
また、容器の口縁寸法よりも大きい口縁寸法の袋を装着しても、容器の口縁寸法をそれらの袋の開口口縁寸法に合わせて拡張することはできないので、装着する袋のもつ開口寸法いっぱいに開口して最も投入し易い状態で収納物を収納することができないという欠点もあった。
【０００５】
また、引用文献１の「ごみ等の収納容器」においては、収納袋を容器に装着や取り外しをするたびごとに、クリップを一個ずつ留めたり外したりしなければならないために、袋の装着が面倒であることや、また、容器と袋の口縁寸法および容積が略一致していることが必要であるために、容器よりも小さい口縁寸法の袋は、容器に装着できないことや、また、容器よりも大きい口縁寸法の袋においては、使用は可能ではあるが、その袋のもつ収納容量いっぱいに収納物を多量収納することができないことや、その袋のもつ開口寸法いっぱいに開口して最も投入し易い状態で収納物を収納することができないことなどの欠点があった。
【０００６】
また、引用文献２の「内袋固定具付ごみ箱」においても、収納袋を容器に装着や取り外しをするたびごとに、ひも状弾性体を留めたり外したりしなければならないために、袋の装着が面倒であることや、また、容器と袋の口縁寸法および容積が略一致していることが必要であるために、容器よりも小さい口縁寸法の袋は、容器に装着できないことや、また、容器よりも大きい口縁寸法の袋においては、使用は可能ではあるが、その袋のもつ収納容量いっぱいに収納物を多量収納することができないことや、その袋のもつ開口寸法いっぱいに開口して最も投入し易い状態で収納物を収納することができないことなどの欠点があった。
【０００７】
また、引用文献３の「袋もの支持スタンド」においても、収納袋をリングに装着や取り外しをするたびごとに、留め紐を留めたり外したりしなければならないために、袋の装着が面倒であることや、また、高価格になることや、また、リングと袋の口縁寸法および容積が略一致していることが必要であるために、リングよりも小さい口縁寸法の袋は、リングに装着できないことや、また、リングよりも大きい口縁寸法の袋の場合は、使用は可能ではあるが、大きい袋の口縁寸法を小さい口径寸法のリングに合わせて縮めてしまうので、その袋のもつ開口寸法いっぱいに開口して最も投入し易い状態で収納物を収納することができないことなどの欠点があった。
【０００８】
また、引用文献３の「袋もの支持スタンド」においては、複数種類の分別収納ができるものになっているが、リングのサイズや個数が限定されていることなどにより、分別収納する収納物の大きさや収納量や種類に対応した分別収納を行うことが困難であり、また、発生場所の異なる各分別収納物を一箇所に持ち込んで投入しなければならないことや、また、設置場所やスペースの面などでも嵩張って大きなスペースを要することなどにより使い勝手の悪い欠点があった。
【０００９】
また、引用文献４の「ゴミ袋用のスタンド、及びゴミ袋付きスタンド」においては、収納袋を装着や取り外しをするたびごとに、口紐を留めたり外したりしなければならないので面倒であることや、また、枠体と袋の口縁寸法および容積が略一致していることが必要であるために、枠体よりも小さい口縁寸法の袋は、枠体に装着できないことや、また、枠体よりも大きい口縁寸法の場合は、使用は可能ではあるが、大きい袋の口縁寸法を小さい開き寸法の枠体に合わせて縮めてしまうので、その袋のもつ開口寸法いっぱいに開口して最も投入し易い状態で収納物を収納することができないことなどの欠点があった。また、袋内に収納物を満杯に押し詰めると袋が膨らんで枠体より外面に食み出した部分が枠体の側材に引っ掛かって排出時の袋の取り出しが困難となり、使い勝手の悪い欠点があった。
【００１０】
また、特許文献５においては、上述した種々の欠点のなかで、装着する袋の着脱のたびごとに、クリップを一個ずつ留め外しをしなければならない欠点があるが、その外の欠点については解消されたものになっている。
【００１１】
そこで、本発明は、上述したような従来の欠点を解消するために、図１に示すように、
基台に４本の支柱を立設し、永久磁石を備えた係留部材を支柱上端部に備えた磁性体片に向って指先で軽く振り上げて回動するだけで、袋の折返し部を永久磁石で自働的に吸着挟持し、且つ、支柱上端部の袋掛止部で上向きの突っ張り状に掛止することにより、収納袋を簡単に且つ着脱容易に且つずれ落ちしないように装着することができる収納袋の支持器具を提案する。
【００１２】
また、袋支持器具の支柱の傾斜角度および高さを調整自在とすることによって、収納する袋に大小がある場合でも種々の形状寸法の収納袋をその袋のもつ最大の開口寸法に拡張開口し、収納物を最も投入し易い状態で投入し収納することができる収納袋の支持器具を提案する。
【００１３】
また、側材や枠材が無く、且つ支柱の傾斜角度および高さを調整自在とした袋支持器具の支柱間で袋の食み出し収納をすることによって、その袋のもつ最大の収納容量まで容易に多量収納することができる収納袋の支持器具を提案する。
【００１４】
また、従来の使い勝手の悪い集中型の分別収納具に対して、分別収納を必要とする種々の場所に簡単にセットして、種々の分別収納物に対応した分別収納が簡単にでき、且つ着脱容易に装着した収納袋を簡単に外して袋ごと簡単に排出できる使い勝手の良い個別収納型の収納袋の支持器具を提案する。
【課題を解決するための手段】
【００１５】
上記の課題を解決するために、本発明は、基台１ａの周辺部の少なくとも３箇所に内外方向に復元力を有する支柱２ｃを該基台１ａと一体形成した袋支持体Ａと、該袋支持体Ａの上端部に被せ掛けた袋８の折り返し部８ａを破らない程度に尖らせて形成した袋掛止部３と、該袋掛止部３の直下の前記支柱２ｃの上部外側面に固設した磁性体片４または永久磁石５と、基端部６を前記支柱２ｃの外側面の中間高さ部位に取り付けた係留部材７の先端部に、前記支柱２ｃに設けた磁性体片４または永久磁石５に対応して離着可能になるように永久磁石５または磁性体片４を固設した袋の挟み留め部Ｂと、を備えたことを特徴とする。
【００１６】
また、基台１の周辺部の少なくとも３箇所に首振り手段を介して支柱２を先端部が内外方向擺動可能になるように装着した袋支持体Ｃと、該袋支持体Ｃの上端部に被せ掛けた袋８の折り返し部８ａを破らない程度に尖らせて形成した袋掛止部３と、該袋掛止部３の直下の前記支柱２の上部外側面に固設した磁性体片４または永久磁石５と、基端部６を前記支柱２の外側面の中間高さ部位に取り付けた係留部材７の先端部に、前記支柱２に設けた磁性体片４または永久磁石５に対応して離着可能になるように永久磁石５または磁性体片４を固設した袋の挟み留め部Ｂと、を備えたことを特徴とする。
【００１７】
ここで、首振り手段が、前記支柱２の基端部に塑性変形可能なＬ型金具９を設けて該金具９で基台１に固定して前記支柱２の首振りを可能としたことを特徴とする。
また、首振り手段が、前記支柱２の基端部に枢軸とその軸受部の接触による摩擦抵抗により内外方向の傾斜を可能とする枢支部１０を設けて前記支柱２の首振りを可能としたことを特徴とする。
また、首振り手段が、前記支柱２の基端部に該支柱２に添ってバネ板１２を固定し、該バネ板１２の下端部を基台１に固定して、バネの弾性によって前記支柱２を内外方向に首振りができるようにしたことを特徴とする。
【００１８】
また、支柱２を二重軸嵌合で上下に伸縮するスライド構造とし、該二重軸嵌合部の側部にボルト孔を設けそのボルト孔に両軸を締め付けて固定する係止ボルト１１を螺着し前記支柱２の高さを調節できるようにしたことを特徴とする。
【００１９】
また、係留部材７が、前記支柱２または２ｃとの固定位置から支柱上部に設けた前記磁性体片４または永久磁石５に至る長さの縦長細幅の薄板の板状材７、または、紐状材７ａ、または、鎖状材７ｂのいずれか一つであることを特徴とする。
【００２０】
また、基台１が、端部に首振り手段を装着可能とした少なくとも２本の細長板状材１ｂまたは棒状材１ｃを重ね合わせて折り畳みできるように中央部に設けた枢支部１ｄで開閉可能に連結して成ることを特徴とする。
【発明の効果】
【００２１】
本発明においては、永久磁石で吸着挟持する係留部材を指先で軽く振り上げて回動するだけで、収納袋支持器具内に装着した袋の上部折返し部を自働的に吸着挟持することと、これと共に、袋の折り返し部を破らない程度に尖らせて形成した支柱上端部の袋掛止部で、上向きの突っ張り状に掛止することにより、収納袋支持器具内に装着した収納袋の折り返し部を簡単に且つ着脱容易に挟持し、且つずれ落ちしないように保持することができる。
【００２２】
また、本発明においては、袋支持器具の支柱の傾斜角度および高さを調整自在とすることによって、収納する袋に大小がある場合でも種々の形状寸法の収納袋をその袋のもつ最大の開口寸法に拡張開口し、収納物を最も投入し易い状態で投入し収納することができる。
また、設置する場所のスペースなどに合わせて開口寸法や開口形状を自在に調整し、それらの設置する場所において収納物を最も投入し易い状態で投入し、使い勝手の良い状態で収納することができる。
また、大き目の袋を装着しておいて、その場の収納量に合わせて袋の開口寸法や大きさを自在に調整することにより、収納物を最も投入し易い状態で投入し、使い勝手の良い状態で収納することができる。
【００２３】
また、本発明においては、支柱の傾斜角度および高さを調整自在とした袋支持器具の支柱間で袋の食み出し収納をすることによって、その袋のもつ最大の収納容量まで容易に多量収納ができる。
また、袋支持器具の支柱間に側材が無く、また、支柱の上部に枠材が無いことにより、その袋のもつ最大の収納容量まで容易に多量収納ができる。
そして、これにより、押し詰め収納しても、満杯に膨らんだ袋が側材や枠材に引っ掛かることなく、支持器具から簡単に抜き取ることができる。
そして、この多量収納が容易にできることにより、排出処理の頻度が少なくなり、面倒な袋の取り付け取り外しの手間が省力化できる。
【００２４】
また、本発明においては、支柱の傾斜角度と高さを調整自在とすることにより、排出量の変動に合わせて適宜袋支持器具の大きさを収納量に見合った大きさに簡単に調整できるので、急に多量の排出物が排出された場合でも、大き目の袋を装着しておき収納量に合わせて適宜袋支持器具と袋の大きさを拡張することにより、急遽別の容器を用意したり、満杯に溜まった収納物を急遽排出したりすることなく、急な変動量に対しても一つの容器で容易に即対応できる。そして、これにより予備の容器を用意するためのコストやスペースの低減化ができる。
【００２５】
また、本発明においては、弾力をもつ支柱と基台を一体形成した袋支持体と、永久磁石で吸着挟持する袋の挟み留め部とから成る収納袋支持器具により、一体型成型の簡単軽量構造で、低コストで、且つ、弾力をもつ支柱により袋支持器具よりも小さ目のレジ袋などでも手軽に装着できる使い勝手の良い収納袋支持器具として、一般家庭の台所などで便利なごみ収納具として活用できる。
【００２６】
また、本発明においては、基台を細長板状材とし、その細長板状材を重ね合わせて折り畳みできるように中央部に設けた枢支部で開閉可能に連結してＸ字状に開閉可能とし、さらに支柱の傾斜角度および高さを調整自在としたことにより、袋支持器具の形状寸法を自在に調整して小さく折畳むことのできる折り畳み式の収納袋支持器具として活用できる。
【００２７】
これにより、基台に４本の支柱を立設した状態で且つ袋を装着したままの状態でも、平たく簡単に折畳んで、持ち運びが容易にできる。また、不要時にも袋を装着したままの状態で平たく折畳んで、スペースを取ることなく複数個の袋支持器具を整理した状態で積み重ねて置くことが容易にできる。そして必要時にはいちいち袋を装着することなく、基台中央枢支部のネジを締付けるだけで収納物を収納できる。そして、これにより、イベント会場用やアウトドアー用などの便利で使い勝手の良いごみ収納具として活用できる。
【００２８】
また、本発明においては、収納袋の大きさに合わせて支柱の傾斜角度および高さを調整自在とすることにより、どのサイズの収納袋でも袋の底面を床面に付けた状態で支持できるので、袋や支柱に荷重負担をかけることなく簡単軽量構造の支持器具で収納袋を支持することができる。また、装着した袋開口部の四周で支柱の開きを押えることができるので、簡単軽量構造の支柱で収納袋を支持することができる。そして、これにより、従来の頑丈な構造の大型容器に対して容器のコストを数分の一に低減ができる。
そして、コストの安い大型のビニール袋を簡単に装着して、包装材や空容器などの軽くて嵩張る排出物や収納物を食み出し収納により多量収納することにより、軽量で嵩張る樹脂製品の廃材収納用の大型収納容器などに特に効果的に活用できる。
【００２９】
また、本発明においては、引用文献３の袋もの支持スタンドのように、常時固定的に、一定の場所に、一定の大きさの容器をセットして置く、使い勝手の悪い集中型の分別収納具に対して、組立や折り畳みが簡単で、どこにでも容易に移動して設置でき、分別収納を必要とする時に、必要な場所に、簡単にセットして、それぞれの分別収納物の形状寸法や収納量に対応した分別収納が簡単にできる使い勝手の良い個別収納型の分別収納具として活用できる。
【００３０】
また、本発明においては、組立や折り畳みが簡単で、どこにでも容易に移動して設置できることや、支持器具の形状寸法を自在に調整して、収納物の増減の変動量に容易に対応できることや、不要時には小さく折畳んで置くことなどが容易にできることにより、包装材や空容器など軽くて嵩張る排出物が一時的に多量に出るイベント会場用や作業場用などに、特に効果的に活用できる。また、生産現場などにおいて、作業者の身近に適宜配置して物品や部品などの補給品の収納や、排出物の収納を適宜行うことができる便利な収納具として活用できる。
【発明を実施するための最良の形態】
【００３１】
以下、図に基づいて本発明の実施形態を説明する。
本発明に係る第一の実施形態の収納袋支持器具は、図３に図示されるように、金属製または樹脂製の板材から成る基台１の上面に４本の支柱が立設されている。また、支柱下２ａおよび支柱上２ｂは、金属製または樹脂製のパイプ材から成り、支柱下２ａの下端部にはＬ型金具９が接続され、支柱下２ａおよび支柱上２ｂが回動可能に支持されている。また、Ｌ型金具９と支柱下２ａおよび基台１との接続はボルトにより固定して、組立てが簡単にできるようにしている。また、Ｌ型金具９を前後に傾けることで、Ｌ型金具９の折曲部が塑性変形して、支柱下２ａおよび支柱上２ｂを任意の傾斜角度に調節することができるようにしている。
【００３２】
また、支柱下２ａの上部には、支柱下２ａよりも一回り細いパイプ材から成る支柱上２ｂが嵌合され、支柱下２ａに対して摺動自在に支持されている。そして、支柱下２ａと支柱上２ｂの嵌合部に係止ボルト１１を螺着しておいて、支柱上２ｂの高さを調節した後、その係止ボルト１１を締めつけて支柱下２ａと支柱上２ｂを固定することができるようにしている。
【００３３】
この支柱上２ｂの上端部には袋掛止部３が形成され、その袋掛止部３の直下で支柱上２ｂの外側面に磁性体片４が固着されている。また、磁性体片４より下方に下がった位置で且つ係留部材７の下端部の基端部６と相対する位置にその相方の基端部６が取り付けられている。そして、永久磁石５を備えた係留部材７が基端部６を基点として磁性体片４に向かって回動し、永久磁石５の磁力で袋の折り返し部８ａを吸着挟持できるようにしている。また、係留部材７は袋の装着が無い時は支柱上２ｂの外側面に吊下げした状態で保持されるようにしている。
また、支柱２は、永久磁石５の磁力で挟持した袋の折り返し部８ａをずれ落ちしないように、折れ曲がることなく、上向きの突っ張り状に突っ張って保持できる強度を備えたものとしている。
【００３４】
また、袋掛止部３は、支柱上２ｂの上端に被せ掛けた収納袋の折り返し部８ａを破らない程度に上向きの尖った形状の樹脂製または金属製のキャップを形成して、永久磁石５の磁力で挟着した袋８の折り返し部８ａがずれ落ちしないように上向きの尖った形状部で上向きの突っ張り状に保持するようにしている。
また、磁性体片４は、永久磁石５と略同じ大きさの鉄片としたものを主としている。
また、永久磁石５は、収納袋８に収納物を収納した際に、磁性体片４との挟着部で収納袋８の折り返し部８ａがずれ落ちしない程度に吸着挟持する磁力を持ち、且つ係留部材７の上端部に指先を当てて係留部材７を容易に離着できる程度の磁力を備えたものとしている。
【００３５】
また、基端部６は、金属製または樹脂製の枢軸と軸受または蝶番で成り、係留部材７が基端部６を基に回動し永久磁石５が相対する支柱上２ｂ側の磁性体片４と吸着するように係留部材７の基端部と支柱上２ｂとを枢着するものとしている。
【００３６】
また、係留部材７は、金属製または樹脂製の板状材の下端部に基端部６を備え、上端部に永久磁石５を固着するものとしている。
そして、前記支柱２との取付け位置から支柱上部に設けた前記磁性体片４または永久磁石５に至る長さの縦長細幅の薄板の板状材７ａとしている。
そして、基端部６を基に係留部材７を指先で軽く振り上げて回動し、袋の折り返し部８ａを自働的に吸着挟持することができるものとしている。
【００３７】
また、収納袋８は、ごみの収納用などに用いられている封筒型のもので、永久磁石５の磁力で挟着できる薄手のビニール袋やポリ袋などを主に用いるものとしている。また、支柱上２ｂの上端の袋掛止部３に袋の折り返し部８ａを被せ掛けた際に、破れることなく、上向きの尖った形状の樹脂製または金属製のキャップで袋の折り返し部８ａがずれ落ちしないように突っ張り状に保持することができる強度と柔軟性をもつものとしている。
また、スーパーのレジ袋や商品の空き袋などを用いることも可能としている。
【００３８】
また、Ｌ型金具９は、そのＬ型折曲部が塑性変形可能な柔軟性と強靭性をもつ金属により形成されている。そして、Ｌ型金具９を前後に傾けることで、Ｌ型金具９の折曲部が塑性変形して、支柱下２ａおよび支柱上２ｂを任意の傾斜角度に調節することができるようにしている。
また、二重軸嵌合部の係止ボルト１１は、金属製または樹脂製の蝶ネジ型のビスを用いるものとしている。
【００３９】
また、本発明に係る第二の実施形態の収納袋支持器具は、図４に図示されるように、磁性体片４と永久磁石５の取り付けを入れ替えて、支柱上２ｂ側に永久磁石５を固設し、相対する係留部材７側に磁性体片４を固設したものであり、その他のものについては、図３に図示される第一の実施形態の収納袋支持器具に準じたものとしている。
【００４０】
また、本発明に係る第三の実施形態の収納袋支持器具は、図５に図示されるように、係留部材７を板状材７でなく、紐状材７ａ、または、鎖状材７ｂのいずれかとしたものであり、その他のものについては、第一の実施形態の収納袋支持器具に準じたものとしている。
【００４１】
また、本発明に係る第四の実施形態の収納袋支持器具は、図６に図示されるように、基台１を正方形や矩形型の板状材でなく、端部に首振り手段を装着可能とした少なくとも２本の細長板状材１ｂまたは棒状材１ｃを重ね合わせて折り畳みできるように中央部に設けた枢支部１ｄで開閉可能に連結したものとしている。また、枢支部１ｄの締付けでＸ字状の開閉を調整できるようにしている。また、Ｘ字状に開閉し、基台に４本の支柱を立設した状態で、且つ袋を装着したままの状態でも平たく簡単に折畳んで、持ち運びが容易にできるようにしたものとしている。
そして、その他のものについては、第一の実施形態の収納袋支持器具に準じたものとしている。
【００４２】
また、本発明に係る第五の実施形態の収納袋支持器具は、図７に図示されるように、基台１ａの周辺部の少なくとも３箇所に内外方向に復元力を有する支柱２ｃを外側に放射方向に傾斜した状態で該基台１ａと一体形成した袋支持体Ａとしている。
そして、その他のものについては、第一の実施形態の収納袋支持器具に準じたものとしている。
【００４３】
つぎに、図に基づいて本発明の第一の実施形態の収納袋支持器具の使い方について説明する。
図１および図３に示されるように、先ず、袋８の開口部の全周を５センチから１０センチほど折り返し、その袋の開口部と底部をいっぱいに広げ、底部が基台１の上面に接するように載せる。
つぎに、袋８の底部が基台１に載っている状態で、支柱上２ｂの上端部の袋掛止部３の高さを、袋８の折り返し部の高さに合わせて自在調整をする。
ここで、係留部材７が支柱上２ｂの上端部の挟着部に吸着している場合には、吸着している係留部材７を指で外して回動し、支柱上２ｂの外側面に吊下げした状態にしておく。
【００４４】
つぎに、袋８の開口部の開き寸法に合わせて支柱上２ｂの開きを自在調整し、支柱上２ｂの上端部の袋掛止部３に袋８の上部折り返し部８ａを被せ掛ける。
つぎに、永久磁石５を備えた係留部材７を磁性体片４に向かって指で振り上げて回動し、袋の折り返し部８ａを磁性体片４と永久磁石５の挟着部で自働的に吸着挟持する。
つぎに、袋８に収納物が満杯になったら係留部材７の挟着部を指で外して支柱上２ｂの外側面に吊下げした状態にする。
つぎに、袋８に収納物が満杯になった袋を収納袋支持器具から袋ごと取り出して排出する。
【産業上の利用可能性】
【００４５】
本発明の収納袋支持器具は、家庭用のプラスチック製の小型のものから、工業用、業務用の樹脂製や金属製の大型のものまで利用することが可能である。
また、家庭や事業所などでゴミやその他の廃棄物を収納する以外に、どこにでも簡単に持ち運んで必要時に必要な大きさに簡単にセットできる折り畳みタイプの収納袋支持器具として、イベント会場などで種々の排出物の収納に利用することが可能である。また、作業場などで作業者の身近にセットして、種々の補給物の収納や、種々の排出物の収納に利用することが可能である。
【図面の簡単な説明】
【００４６】
【図１】収納袋支持器具の第一の実施形態を示す外観図である。
【図２】第一の実施形態で袋を装着しない状態の外観図である。
【図３】第一の実施形態の側面断面詳細図である。
【図４】第二の実施形態の側面断面詳細図である。
【図５】第三の実施形態の側面断面詳細図である。
【図６】第四の実施形態の側面断面詳細図である。
【図７】第五の実施形態の側面断面詳細図である。
【図８】（イ）は装着した袋の開口部を拡張する前の状態を示し、（ロ）は袋のもつ開口寸法いっぱいに拡張した状態を示す平面の模式図である。
【図９】（イ）は従来の容器の袋装着と収納の状態を示し、（ロ）は本発明の収納袋支持器具による袋装着と、食み出し収納による多量収納の状態を示す側面断面図である。
【符号の説明】
【００４７】
１  基台
１ａ  袋支持体Ａの基台
１ｂ  折り畳みできる細長板状材の基台
１ｃ  折り畳みできる細長棒状材の基台
１ｄ  折り畳みできる基台の中央部に設けた枢支部
２  支柱
２ａ  支柱下
２ｂ  支柱上
２ｃ  袋支持体Ａの支柱
３  袋掛止部
４  磁性体片  
５  永久磁石
６  係留部材７の基端部
７  板状材の係留部材
７ａ  紐状材の係留部材
７ｂ  鎖状材の係留部材
８  袋
８ａ  袋折り返し部
８ｂ  側面の食み出し収納による多量収納部
８ｃ  従来型の容器の収納部
９  Ｌ型金具
１０  支柱２の基端部の枢支部
１１  二重軸嵌合部の係止ボルト
５０  従来型の容器
Ａ  基台１ａと支柱２ｃを一体形成した袋支持体
Ｂ  係留部材７に永久磁石５または磁性体片４を固着した袋の挟み留め部
Ｃ  基台１に支柱２を首振り手段で内外方向擺動可能になるように装着した袋支持体
【図１】
2007314231.tif 000003
【図２】
2007314231.tif 000004
【図３】
2007314231.tif 000005
【図４】
2007314231.tif 000006
【図５】
2007314231.tif 000007
【図６】
2007314231.tif 000008
【図７】
2007314231.tif 000009
【図８】
2007314231.tif 000010
【図９】
2007314231.tif 000011